(57)【特許請求の範囲】
【請求項１】
床面上に設置された棚の周囲で床面上に敷設されるガードレールであって、棚の支柱間で床面上に敷設されるレール材と、棚の支柱位置に於いて前記レール材どうしを連結する連結材とを備え、前記連結材は、平面形状がコ形のものであって、棚の支柱下端部に外側から外嵌するもので、床面上に敷設された前記レール材との結合により当該レール材に支持されるようにした、棚のガードレール。
【請求項２】
前記レール材は、垂直板部と当該垂直板部の下端から棚側に延出する水平板部とから成る断面Ｌ形のレール本体と、当該レール本体の水平板部下に固着された断面倒立門形の据え付け部材とから成る、請求項１に記載の棚のガードレール。
【請求項３】
棚の下側で前記レール材に対して直角向きに床面上に敷設されるサブビームを備え、前記レール材の据え付け部材は、その左右両側板部がレール本体の棚側で当該レール本体の水平板部より上方に突出する突出部を有し、前記サブビームの外端部は、前記左右両突出部間に嵌合する状態でレール材の水平板部上に支持されている、請求項１又は２に記載の棚のガードレール。
【請求項４】
前記サブビームは断面ハット形のもので、その下端左右両リップ部の下側に固着されて横側方に突出する、断面倒立ハット形の据え付け部材を備えている、請求項３に記載の棚のガードレール。
【発明の詳細な説明】
【０００１】
【発明の属する技術分野】
本発明は、床面上に設置された棚の周囲で床面上に敷設される、通行車両等と棚との接触を防止するガードレールに関するものである。
【０００２】
【従来の技術】
この種のガードレールは、棚の支柱位置から前側に大きくはみ出させて敷設するのではなく、棚の支柱位置と略同じ位置に敷設されるものであるから、レール材は、棚の支柱位置で分断される。従って、棚の支柱位置で分断されたレール材どうしを互いに連結する必要があり、従来のこの種のガードレールでは、棚の支柱位置で分断されたレール材どうしを互いに連結する連結部材を床面上にアンカーボルト等で固定して据え付け、この連結部材の端部にレール材の端部を結合するように構成されていた。
【０００３】
【発明が解決しようとする課題】
上記のような従来の構成では、連結部材の両端部、即ち、棚の支柱の左右両側位置に、床面への据え付け部を設けることになるため、連結部材の全長が長くなっていた。一方、例えば棚の正面側から側面側へ回り込むようにガードレールを配設するとき、棚コーナー部に位置する支柱位置に据え付けた前記連結部材の一端にコーナー用部材を介して直角向きに棚側面用レール材を連結することになるが、この場合に前記連結部材の長さが長いと、棚側面用レール材の棚からの張り出し量が大きくなり、床面利用効率が低下することになる。
【０００４】
【課題を解決するための手段】
本発明は上記のような従来の問題点を解消し得る棚のガードレールを提供することを目的とするものであって、その手段を後述する実施形態の参照符号を付して示すと、床面上に設置された棚１の周囲で床面上に敷設されるガードレール１０であって、棚１の支柱４ａ間で床面上に敷設されるレール材１２と、棚１の支柱４ａ位置に於いて前記レール材１２どうしを連結する連結材１３とを備え、前記連結材１３は、平面形状がコ形のものであって、棚１の支柱４ａの下端部に外側から外嵌するもので、床面上に敷設された前記レール材１２との結合により当該レール材１２に支持される構成となっている。
【０００５】
上記構成の本発明を実施するについて、前記レール材１２は、垂直板部１６と当該垂直板部１６の下端から棚側に延出する水平板部１７とから成る断面Ｌ形のレール本体１８と、当該レール本体１８の水平板部１７の下に固着された断面倒立門形の据え付け部材１９とから構成することが出来る。
【０００６】
又、棚１の下側床面上に、パレット等を介して荷を支持するのに利用出来るサブビーム１１を敷設する場合、前記レール材１２の据え付け部材１９の左右両側板部２４ａ，２４ｂに、レール本体１８の棚１側で当該レール本体１８の水平板部１７より上方に突出する突出部２５を設け、前記サブビーム１１の外端部を、前記左右両突出部２５間に嵌合する状態でレール本体１８の水平板部１７上に支持させることが出来る。又、前記サブビーム１１は断面ハット形に構成しておき、その下端左右両リップ部２７ａ，２７ｂの下側に固着されて横側方に突出する、断面倒立ハット形の据え付け部材２８を設けておくことが出来る。
【０００７】
【発明の実施の形態】
以下に本発明の好適実施形態を添付図に基づいて説明すると、図１に於いて、１は棚であって、図示のものは、３つの棚板支持枠２ａ〜２ｃとこれら棚板支持枠２ａ〜２ｃ間に上下複数段に架設された棚板３を備えたものである。各棚板支持枠２ａ〜２ｃは、前後一対の支柱４ａ，４ｂと両支柱４ａ，４ｂどうしを連結する水平連結部材５、及び両支柱４ａ，４ｂどうしを連結する補強用斜め連結部材６から構成され、各支柱４ａ，４ｂの下端は、図５Ａに示すように、当該支柱下端に固着された据え付けプレート７とアンカーボルト等とを介して床面Ｆ上に固定されるか又は、図５Ｂに示すように、据え付けプレート８とアンカーボルト等とを介して床面Ｆ上に固定される高さ調整用アジャスター９によって支持される。
【０００８】
図１及び図２に於いて、１０はガードレールであって、図示のものは、棚１の正面側と左右両側面とを囲むように配設されている。１１は、棚１の下側で床面上に敷設された複数列のサブビームであって、先に説明したように、棚１の最下段の荷支持部を構成している。前記ガードレール１０は、棚１の正面側で各支柱４ａ間に配置されるレール材１２、棚１の正面側の各支柱４ａごとに配置される連結材１３、コーナー用部材１４、及び棚１の側面側に配置されるレール材１５から構成されている。
【０００９】
各レール材１２、１５は、図５Ａ及び図６に示すように、垂直板部１６と当該垂直板部１６の下端から棚側に延出する水平板部１７とから成る断面Ｌ形のレール本体１８と、当該レール本体１８の水平板部１７の下側適当位置に固着された断面倒立門形の据え付け部材１９とから構成され、レール本体１８の両端には、図３、図４及び図５Ａに示すように、当該レール本体１８の垂直板部１６の上端から水平板部１７の下方適当位置まで垂下する高さの接合板２０が固着されている。又、図２に示すように、棚正面側のレール材１２の前記据え付け部材１９は、サブビーム１１の配設位置と一致するように配置されている。
【００１０】
連結材１３は、図３、図４及び図５Ｂに示すように、支柱４ａに対し正面側から被せることが出来る、平面形状がコ字形のものであって、前記レール材１２の両端接合板２０の高さと同一高さの対向両側壁部２１ａ，２１ｂには、前記接合板２０等との連結用ネジ孔２２が所要個数設けられている。この連結材１３は、図４に示すように、床面Ｆ上には直接据え付けられない。
【００１１】
前記レール材１２の据え付け部材１９は、図６に示すように、レール本体１８から棚側に突出する長さを有するもので、その底板部２３のレール本体１８から棚側に突出する部分を利用してアンカーボルト等で床面Ｆ上に据え付けられ、左右両側板部２４ａ，２４ｂには、レール本体１８の棚側で当該レール本体１８の水平板部１７より上方に突出する突出部２５を備えている。
【００１２】
上記のレール材１２の端部の接合板２０と、連結材１３の側壁部２１ａ，２１ｂとを当接させ、この両者をボルト２６と連結材１３側のネジ孔２２とを利用して互いに結合した状態で、連結材１３を棚支柱４ａに正面側から被せ、着床しているレール材１２の据え付け部材１９を床面Ｆにアンカーボルト等で固定することにより、レール材１２が敷設される。このとき、レール材１２のレール本体１８及び連結材１３は、床面Ｆから離れている。
【００１３】
棚側面側のレール材１５は、図２に示すように、前記のように据え付けられた棚正面側のレール材１２の端部に連結され且つ棚コーナー部の支柱４ａに被せられている連結材１３に、コーナー部材１４を介して連結される。床面Ｆに対する据え付け方法は、レール材１２と同一である。コーナー部材１４は、１／４円弧状（直線部材を接合して構成しても良い）の垂直板部１４ａと床面Ｆ上への据え付け用水平板部１４ｂとから成るもので、直角両側部には、前記レール材１２，１５の接合板２０とボルトナット等で結合する接合板部が設けられた、従来のものと同様のものである。従って、このコーナー部材１４の一側辺を棚コーナー部の支柱４ａに被せられている連結材１３の側壁部２１ａ又は２１ｂにボルトで結合し、当該コーナー部材１４の他側辺にレール材１５の一端接合板２０をボルトナット等で結合し、レール材１５及びコーナー部材１４を床面Ｆ上に据え付ければ良い。勿論、このコーナー部材１４は、棚正面側に据え付けられたレール材１２に結合されている連結材１３と棚側面側に据え付けられたレール材１５とで支持されるので、床面Ｆに対する固定は省いても良い。
【００１４】
サブビーム１１は、図７及び図８に示すように、断面ハット形のもので、その内端近傍位置には、当該サブビーム１１の下端左右両リップ部２７ａ，２７ｂの下側に固着されて横側方に突出する、断面倒立ハット形の据え付け部材２８が固着されている。而して、当該サブビーム１１の下端左右両リップ部２７ａ，２７ｂを含む最大幅は、レール材１２の据え付け部材１９に形成した左右両側突出部２５間の幅より若干狭い。従って、各サブビーム１１の外端部を、レール材１２の各据え付け部材１９に於ける左右両側突出部２５間に嵌合させた状態で、レール本体１８の水平板部１７上に載置させることが出来る。この状態で、当該サブビーム１１の内端側の据え付け部材２８を、横側方に突出する底板部２８ａとアンカーボルト等とを利用して、床面Ｆ上に固定することが出来る。このようにしてレール材１２に対し直角向きに敷設された各サブビーム１１は、図７に示すように、その上面１１ａがレール材１２の上端（垂直板部１６の上端）と略同一レベルで水平になるように構成されている。
【００１５】
尚、図９に示すように、棚１が前後２列に並設される場合で、当該前後両棚１の正面側にそれぞれガードレール１０が配設されるときは、棚側面側のレール材１５として、両端が各棚１のコーナー部にある支柱４ａに被せられている連結材１３に結合させることが出来る長尺のレール材１５を使用するのが望ましい。又、この状態では、各棚１の下側に敷設されるサブビーム１１として、前後両棚１間にわたって連続する長尺のサブビーム１１を使用し、当該長尺サブビーム１１の両端を前記のように前後両棚１の正面側にそれぞれ敷設されたガードレール１０の支柱間レール材１２の据え付け部材１９に嵌合支持させ、当該長尺サブビーム１１の長さ方向中央位置に固着した前記据え付け部材２８を、前後両棚１間に於いて床面上に固定することが出来る。
【００１６】
【発明の効果】
本発明の棚のガードレールは以上のように実施し且つ使用することができるものであって、係る本発明のガードレールによれば、棚の支柱両側のレール材どうしを連結する連結材が、棚の支柱下端部に外側から外嵌する平面形状がコ形のものであって、床面上に敷設された前記レール材との結合により当該レール材に支持されるように構成しているので、当該連結材自体に床面への据え付け部を棚支柱の左右両側に張り出すように形成する必要がない。従って、この連結材の棚支柱から左右両側への張り出し量を、当該連結材の棚支柱を挟み込む左右両側板部の板厚より少し大きい程度に、極めて小さくすることが出来る。この結果、図２に示すように、コーナー部材を介して棚側面側にレール材を回り込ませるようにガードレールを構成する場合でも、当該棚側面からのレール材の出っ張り量を最小限に抑えることが出来、床面の利用効率を高めることが出来る。又、棚支柱に極接近した位置での床面に対する据え付け作業が無くなり、作業性も向上する。
【００１７】
尚、請求項２に記載の構成によれば、レール材を床面に直付けする場合よりも、レール材自体は高さの低いアングル材等を利用して構成しながら、当該レール材の作用面を床面上適当高さ、即ち、有効高さに配置することが出来る。
【００１８】
又、請求項３に記載の構成によれば、レール材の据え付け部材を利用して、荷支持台等に利用できるサブビームの外端部の位置決めが出来、部品点数の削減を図れるばかりでなく、当該サブビームの据え付け作業も容易になる。この場合、請求項４に記載の構成によれば、前記サブビームの軽量化を図りながら、十分な支持強度を確保することが出来る。
【図面の簡単な説明】
【図１】  棚とガードレールとを示す全体の概略斜視図である。
【図２】  棚支柱とガードレールとを示す平面図である。
【図３】  棚支柱とガードレールとの関係を示す平面図である。
【図４】  図３で示す部分の背面図である。
【図５】  Ａ図は図３で示す部分の側面図であり、Ｂ図は棚支柱の下端支持方法が異なった場合の同部分の側面図である。
【図６】  Ａ図はレール材を構成するレール本体と据え付け部材とを示す縦断側面図であり、Ｂ図は同背面図である。
【図７】  サブビームの敷設構造を示す一部省略の縦断側面図である。
【図８】  Ａ図は図７のＡ−Ａ線断面図であり、Ｂ図は図７のＢ−Ｂ線断面図である。
【図９】  棚が前後２列に並設される場合の実施形態を示す棚支柱とガードレールとを示す平面図である。
【符号の説明】
１    棚
４ａ，４ｂ    棚支柱
１０    ガードレール
１１    荷支持用サブビーム
１２，１５    レール材
１３    連結材
１４    コーナー部材
１６    レール本体の垂直板部
１７    レール本体の水平板部
１８    レール本体
１９    レール本体据え付け部材
２０    接合板
２１ａ，２１ｂ    連結材の左右両側板部
２４ａ，２４ｂ    据え付け部材の左右両側板部
２５    突出部
２７ａ，２７ｂ    サブビームの下端左右両リップ部
２８    サブビームの据え付け部材
【図１】
0003988502.tif 000002
【図２】
0003988502.tif 000003
【図３】
0003988502.tif 000004
【図４】
0003988502.tif 000005
【図５】
0003988502.tif 000006
【図６】
0003988502.tif 000007
【図７】
0003988502.tif 000008
【図８】
0003988502.tif 000009
【図９】
0003988502.tif 000010